(57)【特許請求の範囲】
【請求項１】
複数台の印刷装置を含む印刷システムであって、
会議室予約システムから会議室の予約情報を取得する予約情報取得部と、
一の印刷装置が受信した印刷ジョブを解析する解析部と、
前記解析の結果と前記予約情報とから前記印刷ジョブに関連する会議室を選定する選定部と、
前記選定された会議室に最も近い印刷装置を特定する特定部と、
前記特定部で特定された印刷装置が前記一の印刷装置と異なる場合に、前記印刷ジョブを前記特定された印刷装置に転送して印刷させる転送制御部と、
を有する
ことを特徴とする印刷システム。
【請求項２】
前記選定部によって選定された会議室を報知する報知部と、
前記報知部によって報知された会議室の中から所定の会議室の選択を受け付ける選択部と、
をさらに有し、
前記特定部は、前記選択された会議室に最も近い印刷装置を特定する
ことを特徴とする請求項１に記載の印刷システム。
【請求項３】
前記印刷ジョブを前記特定された印刷装置に転送しない場合は、前記一の印刷装置で前記印刷ジョブを印刷する
ことを特徴とする請求項１または２に記載の印刷システム。
【請求項４】
前記印刷ジョブを前記一の印刷装置に送信したユーザの挙動を検出する挙動検出部と、
前記ユーザの挙動に基づいて前記ユーザが前記印刷ジョブを前記一の印刷装置で印刷するか否かを判定する判定部と、
をさらに有し、
前記判定部が前記ユーザが前記印刷ジョブを前記一の印刷装置で印刷すると判定する場合は、前記印刷ジョブを前記特定された印刷装置に転送せずに、前記一の印刷装置で前記印刷ジョブを印刷する
ことを特徴とする請求項１乃至３のいずれか１つに記載の印刷システム。
【請求項５】
前記挙動検出部は、前記ユーザの挙動として、前記ユーザが前記一の印刷装置から一定距離以上離れた位置に居るか否か、または、前記ユーザが前記一の印刷装置から離れる方向に移動しているか否かを検出し、
前記判定部は、前記ユーザが前記一の印刷装置から一定距離以上離れた位置に居る場合、または、前記ユーザが前記一の印刷装置から離れる方向に移動している場合は、前記ユーザが前記印刷ジョブを前記一の印刷装置で印刷しないと判定し、
この判定がなされた場合、前記印刷ジョブを投入したユーザの携帯端末に前記選定の結果を送信し、前記携帯端末を前記報知部および前記選択部として機能させ、前記選択の結果を前記携帯端末から受信する
ことを特徴とする請求項２を引用する請求項４または請求項２を引用する請求項３を引用する請求項４に記載の印刷システム。
【請求項６】
前記一の印刷装置の操作パネルを前記報知部および前記選択部として機能させて前記選定の結果を表示し、
前記挙動検出部は、前記ユーザの挙動として、前記表示を開始してから一定時間内に前記操作パネルで前記ユーザが選択操作を行うか否かを検出し、
前記判定部は、前記表示を開始してから一定時間内に前記選択操作が行われなかった場合に、前記ユーザが前記一の印刷装置で前記印刷ジョブを印刷すると判定する
ことを特徴とする請求項２を引用する請求項４または請求項２を引用する請求項３を引用する請求項４または請求項５に記載の印刷システム。
【請求項７】
前記一の印刷装置の操作パネルを前記報知部および前記選択部として機能させて前記選定の結果を表示し、
前記挙動検出部は、前記ユーザの挙動として、前記表示を開始してから一定時間内に前記操作パネルで前記ユーザが選択操作を行うか否か、および、前記ユーザが前記一の印刷装置の所定距離内に居るか否かを検出し、
前記判定部は、前記表示を開始してから一定時間内に前記選択操作が行われなかった場合であって前記一定時間の経過時に前記ユーザが前記一の印刷装置の所定距離内に居ない場合は、前記ユーザが前記一の印刷装置で前記印刷ジョブを印刷しないと判定し、前記表示を開始してから一定時間内に前記選択操作が行われなかった場合であって前記一定時間の経過時に前記ユーザが前記一の印刷装置の所定距離内に居る場合は、前記ユーザが前記一の印刷装置で前記印刷ジョブを印刷すると判定し、
前記判定部が、前記印刷しないと判定した場合は、前記印刷ジョブを投入したユーザの携帯端末に前記選定の結果を送信し、前記携帯端末を前記報知部および前記選択部として機能させ、前記選択の結果を前記携帯端末から受信する
ことを特徴とする請求項２を引用する請求項４または請求項２を引用する請求項３を引用する請求項４または請求項５に記載の印刷システム。
【請求項８】
前記転送制御部は、前記特定された印刷装置が前記一の印刷装置から所定距離以内に設置されている印刷装置である場合は、前記印刷ジョブを前記特定された印刷装置に転送しない
ことを特徴とする請求項１乃至７のいずれか１つに記載の印刷システム。
【請求項９】
前記選定部は、前記印刷ジョブを投入したユーザと会議参加者との比較、前記印刷ジョブが投入された時刻と会議開催時刻との比較、前記印刷ジョブの内容と会議の内容との比較、のうちの少なくとも１つに基づいて前記印刷ジョブに関連する会議室を選定する
ことを特徴とする請求項１乃至８のいずれか１つに記載の印刷システム。
【請求項１０】
前記特定部は、
会議室と印刷装置とを予め紐付けて記憶してある情報、
会議室予約システムから取得される各会議室の位置情報と、各印刷装置から取得される設置場所情報との比較、
会議室予約システムから取得される、会議室の近傍に設置されている印刷装置の情報、
に基づいて前記最も近い印刷装置を特定する
ことを特徴とする請求項１乃至９のいずれか１つに記載の印刷システム。
【請求項１１】
印刷ジョブを受信する受信部と、
会議室予約システムから会議室の予約情報を取得する予約情報取得部と、
受信した前記印刷ジョブを解析する解析部と、
前記解析の結果と前記予約情報とから前記印刷ジョブに関連する会議室を選定する選定部と、
前記選定された会議室に最も近い印刷装置を特定する特定部と、
前記特定部で特定された印刷装置が自装置でない場合に、前記印刷ジョブを前記特定された印刷装置に転送して印刷させる転送制御部と、
を有する
ことを特徴とする印刷装置。
【請求項１２】
前記選定部によって選定された会議室を報知する報知部と、
前記報知部によって報知された会議室の中から所定の会議室の選択を受け付ける選択部と、
をさらに有し、
前記特定部は、前記選択された会議室に最も近い印刷装置を特定する
ことを特徴とする請求項１１に記載の印刷装置。
【請求項１３】
前記印刷ジョブを前記特定された印刷装置に転送しない場合は、前記印刷ジョブを自装置で印刷する
ことを特徴とする請求項１１または１２に記載の印刷装置。
【請求項１４】
前記印刷ジョブを送信したユーザの挙動を検出する挙動検出部と、
前記ユーザの挙動に基づいて前記ユーザが前記印刷ジョブを自装置で印刷するか否かを判定する判定部と、
をさらに有し、
前記判定部が前記ユーザが前記印刷ジョブを自装置で印刷すると判定する場合は、前記印刷ジョブを前記特定された印刷装置に転送せずに、自装置で前記印刷ジョブを印刷する
ことを特徴とする請求項１１乃至１３のいずれか１つに記載の印刷装置。
【請求項１５】
前記挙動検出部は、前記ユーザの挙動として、前記ユーザが自装置から一定距離以上離れた位置に居るか否か、または、前記ユーザが自装置から離れる方向に移動しているか否かを検出し、
前記判定部は、前記ユーザが自装置から一定距離以上離れた位置に居る場合、または、前記ユーザが自装置から離れる方向に移動している場合は、前記ユーザが前記印刷ジョブを自装置で印刷しないと判定し、
この判定がなされた場合、前記報知部は、前記印刷ジョブを投入したユーザの携帯端末に前記選定の結果を送信して表示させ、前記選択部は、会議室の選択を前記携帯端末に受けさせ、前記選択の結果を自装置に送信させ、前記携帯端末から送信されてきた前記選択の結果を受信する
ことを特徴とする請求項１２を引用する請求項１４または請求項１２を引用する請求項１３を引用する請求項１４に記載の印刷装置。
【請求項１６】
前記報知部は、自装置の操作パネルに前記選定の結果を表示し、
前記選択部は、前記操作パネルで前記選択を受け付け、
前記挙動検出部は、前記ユーザの挙動として、前記表示を開始してから一定時間内に前記操作パネルで前記ユーザが選択操作を行うか否かを検出し、
前記判定部は、前記表示を開始してから一定時間内に前記選択操作が行われなかった場合に、前記ユーザが自装置で前記印刷ジョブを印刷すると判定する
ことを特徴とする請求項１２を引用する請求項１４または請求項１２を引用する請求項１３を引用する請求項１４または請求項１５に記載の印刷装置。
【請求項１７】
前記報知部は、自装置の操作パネルに前記選定の結果を表示し、
前記選択部は、前記操作パネルで前記選択を受け付け、
前記挙動検出部は、前記ユーザの挙動として、前記表示を開始してから一定時間内に前記操作パネルで前記ユーザが選択操作を行うか否か、および、前記ユーザが自装置の所定距離内に居るか否かを検出し、
前記判定部は、前記表示を開始してから一定時間内に前記選択操作が行われなかった場合であって前記一定時間の経過時に前記ユーザが自装置の所定距離内に居ない場合は、前記ユーザが自装置で前記印刷ジョブを印刷しないと判定し、前記表示を開始してから一定時間内に前記選択操作が行われなかった場合であって前記一定時間の経過時に前記ユーザが自装置の所定距離内に居る場合は、前記ユーザが自装置で前記印刷ジョブを印刷すると判定し、
前記判定部が、前記印刷しないと判定した場合、前記報知部は、前記印刷ジョブを投入したユーザの携帯端末に前記選定の結果を送信して表示させ、前記選択部は、会議室の選択を前記携帯端末に受けさせ、前記選択の結果を自装置に送信させ、前記携帯端末から送信されてきた前記選択の結果を受信する
ことを特徴とする請求項１２を引用する請求項１４または請求項１２を引用する請求項１３を引用する請求項１４または請求項１５に記載の印刷装置。
【請求項１８】
前記転送制御部は、前記特定された印刷装置が自装置から所定距離以内に設置されている印刷装置である場合は、前記印刷ジョブを前記特定された印刷装置に転送しない
ことを特徴とする請求項１１乃至１７のいずれか１つに記載の印刷装置。
【請求項１９】
前記選定部は、前記印刷ジョブを投入したユーザと会議参加者との比較、前記印刷ジョブが投入された時刻と会議開催時刻との比較、前記印刷ジョブの内容と会議の内容との比較、のうちの少なくとも１つに基づいて前記印刷ジョブに関連する会議室を選定する
ことを特徴とする請求項１１乃至１８のいずれか１つに記載の印刷装置。
【請求項２０】
前記特定部は、
会議室と印刷装置とを予め紐付けて記憶してある情報、
会議室予約システムから取得される各会議室の位置情報と、各印刷装置から取得される設置場所情報との比較、
会議室予約システムから取得される、会議室の近傍に設置されている印刷装置の情報、
に基づいて前記最も近い印刷装置を特定する
ことを特徴とする請求項１９に記載の印刷装置。
【発明の詳細な説明】
【技術分野】
【０００１】
本発明は、受信した印刷ジョブを他の印刷装置に転送して印刷させる機能を備えた印刷システムおよび印刷装置に関する。
【背景技術】
【０００２】
会議や打合せでは、文書を印刷し、資料として用いる場合が多くある。会議の資料を自席の近くの印刷装置ではなく、会議室の近くの印刷装置で印刷することが出来れば、会議室に移動する間に印刷処理を進められるので、自席の近くの印刷装置で印刷する場合に比べて、印刷完了を待つ時間が短縮される。また、印刷物を持っていく手間も省くことができる。
【０００３】
しかし、会議室や印刷装置が複数箇所にある場合、会議室とその近くに設置されている印刷装置との対応関係をユーザが把握していないことは少なくない。そのため、会議室の近くの印刷装置を選択して印刷することは難しい。
【０００４】
これを解決する技術として、たとえば、あらかじめ会議室予約システムに、会議とその会議で使用される資料とを紐づけて登録しておく技術がある。該資料の印刷は、該資料に紐付けされた会議室に近い印刷装置で行われる。
【０００５】
また、下記特許文献１には、印刷装置が会議室予約システムから会議室の情報を取得して自装置の操作パネルに表示し、この表示を見たユーザが会議室を選択すると、その選択された会議室の近くの印刷装置に印刷ジョブを転送する技術が開示されている。
【０００６】
下記特許文献２には、印刷サーバに印刷文書を保存する際に、その文書が使用される会議室を指定する技術が開示されている。
【先行技術文献】
【特許文献】
【０００７】
【特許文献１】特開２００７−２９５２４５号公報
【特許文献２】特開２００９−７０１０２号公報
【発明の概要】
【発明が解決しようとする課題】
【０００８】
あらかじめ会議室予約システムに、会議とその会議で使用される資料とを紐づけて登録する方法では、該登録に手間がかかる。また、会議の直前に資料が出来上がった場合には、ユーザは直ぐに印刷装置にその資料の印刷ジョブを投げたいにも関わらず、一度、会議室予約システムにおいて資料と会議室とを紐づける操作をしなければならないので、非常に煩わしい。
【０００９】
また、特許文献１に開示の技術では、印刷装置の操作パネルに、会議室予約システムに登録されている全ての会議室が表示されるため、多数の会議室の中から目的の会議室を選ばなければならないので、手間がかかるとともに、誤って別の会議室を選択してしまう可能性もある。また、この技術を使った場合には、最初にジョブを投げた印刷装置でそのまま印刷したい場合にも、必ず、会議室を選択する画面が表示され、会議室を使用するか否かをユーザが手動で選択しなければならない。会議で使用する資料以外の文書を印刷する場合にも毎回この選択を行わなければならないことは、ユーザにとって煩わしい。
【００１０】
本発明は、上記の問題を解決しようとするものであり、適切な出力先で印刷ジョブを印刷することのできる印刷システムおよび印刷装置を提供することを目的としている。
【課題を解決するための手段】
【００１１】
かかる目的を達成するための本発明の要旨とするところは、次の各項の発明に存する。
【００１２】
［１］複数台の印刷装置を含む印刷システムであって、
会議室予約システムから会議室の予約情報を取得する予約情報取得部と、
一の印刷装置が受信した印刷ジョブを解析する解析部と、
前記解析の結果と前記予約情報とから前記印刷ジョブに関連する会議室を選定する選定部と、
前記選定された会議室に最も近い印刷装置を特定する特定部と、
前記特定部で特定された印刷装置が前記一の印刷装置と異なる場合に、前記印刷ジョブを前記特定された印刷装置に転送して印刷させる転送制御部と、
を有する
ことを特徴とする印刷システム。
【００１３】
上記発明および下記［１１］に記載の発明では、一の印刷装置が受信した印刷ジョブが会議資料等の場合、複数の会議室の中から該印刷ジョブに関連する会議室が選定され、該選定された会議室の最も近くに設置されている印刷装置に該印刷ジョブが転送される。
【００１４】
［２］前記選定部によって選定された会議室を報知する報知部と、
前記報知部によって報知された会議室の中から所定の会議室の選択を受け付ける選択部と、
をさらに有し、
前記特定部は、前記選択された会議室に最も近い印刷装置を特定する
ことを特徴とする［１］に記載の印刷システム。
【００１５】
上記発明および下記［１２］に記載の発明では、選定された会議室が表示され、その中からユーザによって選択された会議室の最も近くに設置されている印刷装置に該印刷ジョブが転送される。ユーザは関連する会議室の中から選択すればよいので、すべての会議室の中から選択する場合に比べて、選択の手間が軽減される。
【００１６】
［３］前記印刷ジョブを前記特定された印刷装置に転送しない場合は、前記一の印刷装置で前記印刷ジョブを印刷する
ことを特徴とする［１］または［２］に記載の印刷システム。
【００１７】
上記発明および下記［１３］に記載の発明では、転送しない場合は、元々、印刷ジョブが投入された印刷装置で印刷が行われる。すなわち、会議の資料等でないような通常の印刷ジョブの場合、転送されることなく、元々、印刷ジョブが投入された印刷装置で印刷が行われる。
【００１８】
［４］前記印刷ジョブを前記一の印刷装置に送信したユーザの挙動を検出する挙動検出部と、
前記ユーザの挙動に基づいて前記ユーザが前記印刷ジョブを前記一の印刷装置で印刷するか否かを判定する判定部と、
をさらに有し、
前記判定部が前記ユーザが前記印刷ジョブを前記一の印刷装置で印刷すると判定する場合は、前記印刷ジョブを前記特定された印刷装置に転送せずに、前記一の印刷装置で前記印刷ジョブを印刷する
ことを特徴とする［１］乃至［３］のいずれか１つに記載の印刷システム。
【００１９】
上記発明および下記［１４］に記載の発明では、ユーザの挙動に基づいて、投入された印刷ジョブを、その元々の投入先の印刷装置で印刷するか否かが判定される。
【００２０】
［５］前記挙動検出部は、前記ユーザの挙動として、前記ユーザが前記一の印刷装置から一定距離以上離れた位置に居るか否か、または、前記ユーザが前記一の印刷装置から離れる方向に移動しているか否かを検出し、
前記判定部は、前記ユーザが前記一の印刷装置から一定距離以上離れた位置に居る場合、または、前記ユーザが前記一の印刷装置から離れる方向に移動している場合は、前記ユーザが前記印刷ジョブを前記一の印刷装置で印刷しないと判定し、
この判定がなされた場合、前記印刷ジョブを投入したユーザの携帯端末に前記選定の結果を送信し、前記携帯端末を前記報知部および前記選択部として機能させ、前記選択の結果を前記携帯端末から受信する
ことを特徴とする［２］を引用する［４］または［２］を引用する［３］を引用する［４］に記載の印刷システム。
【００２１】
上記発明および下記［１５］に記載の発明では、印刷ジョブを投入したユーザが、投入先の印刷装置から一定以上離れている、もしくは、離れるように移動している場合、該印刷ジョブは投入先の印刷装置で印刷されないと判定する。そして、この判定が成された場合は、ユーザは印刷装置の近くに居ないので、会議室の選択を、そのユーザの携帯端末で行えるようにする。
【００２２】
［６］前記一の印刷装置の操作パネルを前記報知部および前記選択部として機能させて前記選定の結果を表示し、
前記挙動検出部は、前記ユーザの挙動として、前記表示を開始してから一定時間内に前記操作パネルで前記ユーザが選択操作を行うか否かを検出し、
前記判定部は、前記表示を開始してから一定時間内に前記選択操作が行われなかった場合に、前記ユーザが前記一の印刷装置で前記印刷ジョブを印刷すると判定する
ことを特徴とする［２］を引用する［４］または［２］を引用する［３］を引用する［４］または［５］に記載の印刷システム。
【００２３】
上記発明および下記［１６］に記載の発明では、印刷ジョブの投入先の印刷装置の操作パネルに関連する会議室を表示して、会議室の選択をユーザから受けるのを待機し、一定時間内に、いずれかの会議室の選択の操作を受けなかった場合は、該投入先の印刷装置での印刷をユーザが希望していると判定して、該印刷装置で印刷する。
【００２４】
［７］前記一の印刷装置の操作パネルを前記報知部および前記選択部として機能させて前記選定の結果を表示し、
前記挙動検出部は、前記ユーザの挙動として、前記表示を開始してから一定時間内に前記操作パネルで前記ユーザが選択操作を行うか否か、および、前記ユーザが前記一の印刷装置の所定距離内に居るか否かを検出し、
前記判定部は、前記表示を開始してから一定時間内に前記選択操作が行われなかった場合であって前記一定時間の経過時に前記ユーザが前記一の印刷装置の所定距離内に居ない場合は、前記ユーザが前記一の印刷装置で前記印刷ジョブを印刷しないと判定し、前記表示を開始してから一定時間内に前記選択操作が行われなかった場合であって前記一定時間の経過時に前記ユーザが前記一の印刷装置の所定距離内に居る場合は、前記ユーザが前記一の印刷装置で前記印刷ジョブを印刷すると判定し、
前記判定部が、前記印刷しないと判定した場合は、前記印刷ジョブを投入したユーザの携帯端末に前記選定の結果を送信し、前記携帯端末を前記報知部および前記選択部として機能させ、前記選択の結果を前記携帯端末から受信する
ことを特徴とする［２］を引用する［４］または［２］を引用する［３］を引用する［４］または［５］に記載の印刷システム。
【００２５】
上記発明および下記［１７］に記載の発明では、印刷ジョブの投入先の印刷装置の操作パネルに関連する会議室を表示して、会議室の選択をユーザから受けるのを待機し、一定時間内に、ユーザから選択操作を受けなかった場合は、該一定時間の経過時にユーザが該投入先の印刷装置の近くに居るか否かを判断する。近くに居る場合は、該投入先の印刷装置での印刷をユーザが希望していると判定して、該印刷装置で印刷する。近くに居ない場合、ユーザは該印刷装置の近くに居ないので、会議室の選択を、そのユーザの携帯端末で行えるようにする。
【００２６】
［８］前記転送制御部は、前記特定された印刷装置が前記一の印刷装置から所定距離以内に設置されている印刷装置である場合は、前記印刷ジョブを前記特定された印刷装置に転送しない
ことを特徴とする［１］乃至［７］のいずれか１つに記載の印刷システム。
【００２７】
上記発明および下記［１８］に記載の発明では、元々の投入先の印刷装置と転送先の印刷装置が近くにある場合は、あえて転送する必要は無いと判断する。
【００２８】
［９］前記選定部は、前記印刷ジョブを投入したユーザと会議参加者との比較、前記印刷ジョブが投入された時刻と会議開催時刻との比較、前記印刷ジョブの内容と会議の内容との比較、のうちの少なくとも１つに基づいて前記印刷ジョブに関連する会議室を選定する
ことを特徴とする［１］乃至［８］のいずれか１つに記載の印刷システム。
【００２９】
［１０］前記特定部は、
会議室と印刷装置とを予め紐付けて記憶してある情報、
会議室予約システムから取得される各会議室の位置情報と、各印刷装置から取得される設置場所情報との比較、
会議室予約システムから取得される、会議室の近傍に設置されている印刷装置の情報、
に基づいて前記最も近い印刷装置を特定する
ことを特徴とする［１］乃至［９］のいずれか１つに記載の印刷システム。
【００３０】
［１１］印刷ジョブを受信する受信部と、
会議室予約システムから会議室の予約情報を取得する予約情報取得部と、
受信した前記印刷ジョブを解析する解析部と、
前記解析の結果と前記予約情報とから前記印刷ジョブに関連する会議室を選定する選定部と、
前記選定された会議室に最も近い印刷装置を特定する特定部と、
前記特定部で特定された印刷装置が自装置でない場合に、前記印刷ジョブを前記特定された印刷装置に転送して印刷させる転送制御部と、
を有する  ことを特徴とする印刷装置。
【００３１】
［１２］前記選定部によって選定された会議室を報知する報知部と、
前記報知部によって報知された会議室の中から所定の会議室の選択を受け付ける選択部と、
をさらに有し、
前記特定部は、前記選択された会議室に最も近い印刷装置を特定する
ことを特徴とする［１１］に記載の印刷装置。
【００３２】
［１３］前記転送しない場合は、前記印刷ジョブを自装置で印刷する
ことを特徴とする［１１］または［１２］に記載の印刷装置。
【００３３】
［１４］前記印刷ジョブを送信したユーザの挙動を検出する挙動検出部と、
前記ユーザの挙動に基づいて前記ユーザが前記印刷ジョブを自装置で印刷するか否かを判定する判定部と、
をさらに有し、
前記判定部が前記ユーザが前記印刷ジョブを自装置で印刷すると判定する場合は、前記印刷ジョブを前記特定された印刷装置に転送せずに、自装置で前記印刷ジョブを印刷する
ことを特徴とする［１１］乃至［１３］のいずれか１つに記載の印刷装置。
【００３４】
［１５］前記挙動検出部は、前記ユーザの挙動として、前記ユーザが自装置から一定距離以上離れた位置に居るか否か、または、前記ユーザが自装置から離れる方向に移動しているか否かを検出し、
前記判定部は、前記ユーザが自装置から一定距離以上離れた位置に居る場合、または、前記ユーザが自装置から離れる方向に移動している場合は、前記ユーザが前記印刷ジョブを自装置で印刷しないと判定し、
この判定がなされた場合、前記報知部は、前記印刷ジョブを投入したユーザの携帯端末に前記選定の結果を送信して表示させ、前記選択部は、会議室の選択を前記携帯端末に受けさせ、前記選択の結果を自装置に送信させ、前記携帯端末から送信されてきた前記選択の結果を受信する
ことを特徴とする［１２］を引用する［１４］または［１２］を引用する［１３］を引用する［１４］に記載の印刷装置。
【００３５】
［１６］  前記報知部は、自装置の操作パネルに前記選定の結果を表示し、
前記選択部は、前記操作パネルで前記選択を受け付け、
前記挙動検出部は、前記ユーザの挙動として、前記表示を開始してから一定時間内に前記操作パネルで前記ユーザが選択操作を行うか否かを検出し、
前記判定部は、前記表示を開始してから一定時間内に前記選択操作が行われなかった場合に、前記ユーザが自装置で前記印刷ジョブを印刷すると判定する
ことを特徴とする［１２］を引用する［１４］または［１２］を引用する［１３］を引用する［１４］または［１５］に記載の印刷装置。
【００３６】
［１７］前記報知部は、自装置の操作パネルに前記選定の結果を表示し、
前記選択部は、前記操作パネルで前記選択を受け付け、
前記挙動検出部は、前記ユーザの挙動として、前記表示を開始してから一定時間内に前記操作パネルで前記ユーザが選択操作を行うか否か、および、前記ユーザが自装置の所定距離内に居るか否かを検出し、
前記判定部は、前記表示を開始してから一定時間内に前記選択操作が行われなかった場合であって前記一定時間の経過時に前記ユーザが自装置の所定距離内に居ない場合は、前記ユーザが自装置で前記印刷ジョブを印刷しないと判定し、前記表示を開始してから一定時間内に前記選択操作が行われなかった場合であって前記一定時間の経過時に前記ユーザが自装置の所定距離内に居る場合は、前記ユーザが自装置で前記印刷ジョブを印刷すると判定し、
前記判定部が、前記印刷しないと判定した場合、前記報知部は、前記印刷ジョブを投入したユーザの携帯端末に前記選定の結果を送信して表示させ、前記選択部は、会議室の選択を前記携帯端末に受けさせ、前記選択の結果を自装置に送信させ、前記携帯端末から送信されてきた前記選択の結果を受信する
ことを特徴とする［１２］を引用する［１４］または［１２］を引用する［１３］を引用する［１４］または［１５］に記載の印刷装置。
【００３７】
［１８］前記転送制御部は、前記特定された印刷装置が自装置から所定距離以内に設置されている印刷装置である場合は、前記印刷ジョブを前記特定された印刷装置に転送しない
ことを特徴とする［１１］乃至［１７］のいずれか１つに記載の印刷装置。
【００３８】
［１９］前記選定部は、前記印刷ジョブを投入したユーザと会議参加者との比較、前記印刷ジョブが投入された時刻と会議開催時刻との比較、前記印刷ジョブの内容と会議の内容との比較、のうちの少なくとも１つに基づいて前記印刷ジョブに関連する会議室を選定する
ことを特徴とする［１１］乃至［１８］のいずれか１つに記載の印刷装置。
【００３９】
［２０］前記特定部は、
会議室と印刷装置とを予め紐付けて記憶してある情報、
会議室予約システムから取得される各会議室の位置情報と、各印刷装置から取得される設置場所情報との比較、
会議室予約システムから取得される、会議室の近傍に設置されている印刷装置の情報、
に基づいて前記最も近い印刷装置を特定する
ことを特徴とする［１９］に記載の印刷装置。
【発明の効果】
【００４０】
本発明に係る印刷システムおよび印刷装置によれば、投入先の印刷装置で印刷すべきか会議室に対応する印刷装置で印刷すべきかを判断して、適切な出力先で印刷ジョブを印刷することができる。
【図面の簡単な説明】
【００４１】
【図１】本発明の実施の形態に係る印刷システムの構成を示す図である。
【図２】本発明の実施の形態に係る印刷装置の概略構成を示すブロック図である。
【図３】携帯端末の概略構成を示すブロック図である。
【図４】印刷システムに属する複数台の印刷装置の設置状況の一例を示す図である。
【図５】本発明の実施の形態に係る印刷システムにおいて印刷ジョブを投入して印刷する際の処理の概要を示す梯子図である。
【図６】携帯端末の表示部に表示される文書一覧画面の一例を示す図である。
【図７】印刷ジョブに含まれるファイルおよび該ファイルから抽出したキーワードの一覧の一例を示す図である。
【図８】印刷ジョブを解析することによって抽出した情報（印刷ジョブ解析結果）の一例を示す図である。
【図９】会議室予約システムから取得した会議室の予約情報の一例を示す図である。
【図１０】図９の予約情報の中で、印刷ジョブ解析結果に含まれる情報と一致する部分の背景をグレーにした状態を示す図である。
【図１１】携帯端末に表示される関連会議室一覧画面の一例を示す図である。
【図１２】ＭＦＰ４からＭＦＰ２に印刷ジョブが転送される様子を示す図である。
【図１３】印刷装置の操作パネルに表示される関連会議室一覧画面の一例を示す図である。
【図１４】携帯端末で行われる印刷ジョブの選択・送信処理を示す流れ図である。
【図１５】携帯端末で行われる、会議室の選択操作を受ける処理を示す流れ図である。
【図１６】印刷装置が行う処理を示す流れ図である。
【図１７】図１６の続きを示す流れ図である。
【図１８】ユーザの挙動を第３判定方法で判定する場合における処理の概要を示す梯子図である。
【発明を実施するための形態】
【００４２】
以下、図面に基づき本発明の実施の形態を説明する。
【００４３】
図１は、本発明の実施の形態に係る印刷システム２の構成例を示している。印刷システム２は、ＬＡＮ（Local Area Network）などのネットワーク３に接続された複数台の印刷装置１０と、アクセスポイント５を介して無線通信によりネットワーク３に接続される携帯型情報処理端末である携帯端末４０、ネットワーク３に接続された会議室予約システム５０、ユーザ位置管理サーバ６０などで構成される。
【００４４】
印刷装置１０は、原稿を光学的に読み取ってその複製画像を記録紙に印刷するコピー機能、読み取った原稿の画像データをファイルにして保存したり外部端末へネットワーク３を通じて送信したりするスキャン機能、携帯端末４０等から受信した印刷ジョブに基づいて記録紙上に文書や画像を印刷して出力する印刷機能などを備えた、所謂、複合機である。以後、印刷装置１０をＭＦＰとも記す。
【００４５】
印刷システム２は、転送印刷機能を備えている。転送印刷機能では、携帯端末４０から印刷ジョブを任意の印刷装置１０に投入すると、その印刷ジョブを解析し、その解析結果と会議室予約システム５０に登録されている会議の予約情報との関連性や印刷ジョブを投入したユーザの挙動に基づいて、該印刷ジョブに係る印刷を、投入先の印刷装置１０で行うべきか、関連する会議室の近くの印刷装置１０で行うべきかが判断される。そして、後者の場合は、関連する会議室を選定して表示し、ユーザから会議室の選択を受け付け、その選択された会議室に最も近い印刷装置１０に印刷ジョブを転送して印刷する、といった動作が行われる。
【００４６】
図２は、印刷装置１０の概略構成を示すブロック図である。印刷装置１０は、当該印刷装置１０の動作を統括的に制御するＣＰＵ(Central Processing Unit)１１を有している。ＣＰＵ１１にはバスを通じてＲＯＭ(Read Only Memory)１２、ＲＡＭ(Random Access Memory)１３、画像読取部１４、プリンタ部１５、画像処理部１６、不揮発メモリ１７、ハードディスク装置１８、ファクシミリ通信部１９、ネットワーク通信部２１、操作パネル２２などが接続されている。
【００４７】
ＣＰＵ１１は、ＯＳ（Operating System）プログラムをベースとし、その上で、ミドルウェアやアプリケーションプログラムなどを実行する。また、ＲＯＭ１２には、各種のプログラムが格納されており、これらのプログラムに従ってＣＰＵ１１が各種処理を実行することで印刷装置１０としての各機能が実現される。
【００４８】
ＲＡＭ１３は、ＣＰＵ１１がプログラムに基づいて処理を実行する際に各種のデータを一時的に格納するワークメモリや画像データを格納する画像メモリなどとして使用される。
【００４９】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５０】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５１】
画像処理部１６は、画像の拡大縮小、回転などの処理のほか、印刷ジョブに含まれるファイル（印刷データ）をイメージデータに変換するラスタライズ処理、画像データの圧縮、伸張処理などを行う。
【００５２】
不揮発メモリ１７は、電源をオフにしても記憶内容が破壊されないメモリ（フラッシュメモリ）であり、各種設定情報の保存などに使用される。
【００５３】
ハードディスク装置１８は、不揮発で大容量の記憶装置であり、各種のプログラム、受信した印刷ジョブなどが記憶される。
【００５４】
ファクシミリ通信部１９は、ファクシミリ機能を備えた外部装置と公衆回線を通じて画像データを送受信する機能を果たす。
【００５５】
ネットワーク通信部２１は、ネットワーク３を通じて携帯端末４０や他の印刷装置１０、会議室予約システム５０、ユーザ位置管理サーバ６０、その他の外部装置との間で通信する機能を果たす。
【００５６】
操作パネル２２は、表示部２３と、操作部２４を備えている。表示部２３は、液晶ディスプレイ（ＬＣＤ…Liquid Crystal Display）などで構成され、各種の操作画面、設定画面などを表示する機能を果たす。操作部２４は、テンキーやスタートボタンなどのハードキーと、表示部２３の物理的画面上に設けられたタッチパネルとを備えている。タッチパネルは、表示部２３の物理的画面がタッチペンや指などで接触操作された座標位置を検出する。
【００５７】
印刷装置１０のＣＰＵ１１は、プログラムを実行することで、前述した転送印刷機能に関して、予約情報取得部３１、解析部３２、挙動情報取得部３３、特定部３４、選定部３５、選択部３６、判定部３７、転送制御部３８などの機能を果たす。
【００５８】
解析部３２は、受信した印刷ジョブを解析する。解析により、該印刷ジョブに含まれる印刷対象のファイルのファイル名、作成日、作成者、印刷対象のファイルに含まれるキーワードなどを抽出する。
【００５９】
予約情報取得部３１は、会議室予約システム５０から会議室の予約情報を取得する。
【００６０】
選定部３５は、印刷ジョブの解析の結果と、会議室予約システム５０から取得した予約情報とに基づいて該印刷ジョブに関連する会議室を選定する。関連する会議室とは、該印刷ジョブに係る印刷物が使用される会議の開催場所にされる可能性がある会議室である。
【００６１】
選択部３６は、選定部３５による選定の結果（関連する会議室）をユーザに報知する報知部としての機能も果たす。報知方法は、表示、音声など任意でよい。選択部３６は、選択部３５による選定の結果を表示等によって報知し、さらに、会議室の選択をユーザから受け付ける。該表示（報知）および選択操作の受け付けには、自装置の操作パネル２２もしくは印刷ジョブの送信元の携帯端末４０が利用される。
【００６２】
挙動情報取得部３３は、印刷ジョブを投入したユーザの挙動を検出する。ユーザの挙動のうち、ユーザの移動や位置に関する情報はユーザ位置管理サーバ６０から取得する。ユーザが操作パネル２２を操作するか否かに関する挙動は、挙動情報取得部３３が自装置の操作パネル２２の状況を監視して検出する。たとえば、各携帯端末４０はＧＰＳ機能によって自装置の位置を検出し、ユーザ位置管理サーバ６０はその位置情報を各携帯端末４０から取得してユーザの位置（ユーザが所有する携帯端末４０の位置）を把握する。ユーザの挙動を検出する方法はこれに限定されず任意でよい。
【００６３】
判定部３７は、ユーザの挙動に基づいて該ユーザが印刷ジョブを自装置（印刷ジョブの投入先の印刷装置１０）で印刷するか否かを判定する。
【００６４】
特定部３４は、選択部３６によって選択された会議室の最も近くに設置されている印刷装置１０を特定する。たとえば、
（ａ）会議室と印刷装置１０とを予め紐付けて記憶してある情報、
（ｂ）会議室予約システム５０から取得される各会議室の位置情報と、各印刷装置１０から取得される設置場所情報との比較、
（ｃ）会議室予約システム５０から取得される、会議室の近傍に設置されている印刷装置１０の情報、
などに基づいて印刷装置１０を特定する。なお、会議室に最も近い印刷装置１０は、会議室の中に設置されているものであってもよい。
【００６５】
転送制御部３８は、特定部３４で特定された印刷装置１０が自装置と異なる場合に、印刷ジョブを、特定された印刷装置１０に転送して印刷させる機能を果たす。
【００６６】
図３は、携帯端末４０の概略構成を示すブロック図である。携帯端末４０は、携帯端末４０の動作を統括的に制御するＣＰＵ４１を有している。ＣＰＵ４１にはバスを通じてＲＯＭ４２、ＲＡＭ４３、不揮発メモリ４４、操作部４５、表示部４６、ネットワーク通信部４７などが接続されている。
【００６７】
ＣＰＵ４１は、ＯＳプログラムをベースとし、その上で、ミドルウェアやアプリケーションプログラムなどを実行する。また、ＲＯＭ４２には、各種のプログラムが格納されており、これらのプログラムに従ってＣＰＵ４１が各種処理を実行することで携帯端末４０の各機能が実現される。
【００６８】
ＲＡＭ４３は、ＣＰＵ４１がプログラムに基づいて処理を実行する際に各種のデータを一時的に格納するワークメモリとして使用される。
【００６９】
不揮発メモリ４４は、電源をオフにしても記憶内容が破壊されないメモリ（フラッシュメモリ）であり、アプリケーションプログラムや各種の固定データ、設定情報などが保存される。不揮発メモリ４４は、ユーザが作成した各種のファイル（文書）が記憶される保存部として機能する。
【００７０】
表示部４６は、液晶ディスプレイなどで構成され、各種の操作画面、設定画面などを表示する機能を果たす。操作部４５は、少数のハードキーと、表示部４６の物理的画面上に設けられたタッチパネルなどで構成される。
【００７１】
ネットワーク通信部４７は、ネットワーク３を通じて印刷装置１０やその他の外部装置との間で通信する機能を果たす。
【００７２】
次に、印刷システム２で行われる転送印刷機能の動作をより詳細に説明する。
【００７３】
図４は、印刷システム２に属する複数台の印刷装置１０の設置状況の一例を示している。この設置情報の印刷システム２を例に転送印刷機能の動作を説明する。
【００７４】
図４に示すビルには、２階Ａ会議室、３階Ａ会議室、３階Ｂ会議室、４階Ａ会議室があり、印刷装置１０は、ＭＦＰ１〜ＭＦＰ５の５台が設置されている。２階Ａ会議室の近くにはＭＦＰ５が、３階Ａ会議室の近くにはＭＦＰ１が、３階Ｂ会議室の近くにはＭＦＰ２が、４階Ａ会議室の近くにはＭＦＰ３がそれぞれ設置されている。さらにＭＦＰ５の近くにＭＦＰ４が設置されている。各会議室にはその最も近くに設置されたＭＦＰが予め紐付けされている。
【００７５】
図５は、印刷システム２で印刷ジョブを投入して印刷する際の処理の概要を示す梯子図である。まず、ユーザは、携帯端末４０から任意のファイルを選択し、そのファイルを含む印刷ジョブを任意の印刷装置１０（図４の例では、自席の近くのＭＦＰ４とする）に送信する（Ｐ１）。
【００７６】
図６は、携帯端末４０の表示部４６に表示される文書一覧画面７０の一例を示している。文書一覧画面７０は、携帯端末４０の保存部(不揮発メモリ４４)に保存されているファイルの一覧を表示する。各ファイルのファイル名の右横には印刷釦７２がそれぞれ表示されている。ユーザが、印刷したいファイル（この例では、企画書.doc）の右横の印刷釦７２を押下すると、そのファイルを含む印刷ジョブが携帯端末４０から印刷装置１０に送信される。なお、送信先の印刷装置１０は、事前に、あるいは上記の印刷釦を操作した後、別途の選択画面で選択することができる。
【００７７】
印刷ジョブを受信した印刷装置１０は、該印刷ジョブを解析する（図５、Ｐ２）。解析により、印刷ジョブに含まれる印刷対象のファイルのファイル名、作成日、作成者、印刷対象のファイルに含まれるキーワードなどを抽出する。図７は、印刷ジョブに含まれるファイル８０（この例では、企画書.doc）および該ファイル８０から抽出したキーワードの一覧８２の一例を示している。
【００７８】
図８は、印刷ジョブを解析することによって抽出した情報（印刷ジョブ解析結果８４）を示している。ジョブ投入時刻、ジョブ投入ユーザ、文書名（ファイル名）、文書(ファイル)内から検出したキーワードなどが解析により抽出されて登録されている。
【００７９】
次に、印刷装置１０は、会議室予約システム５０から会議の予約情報を取得する（図５、Ｐ３）。図９は、取得した予約情報９０の一例を示している。会議の予約情報には、予約毎に、予約番号、会議が開催される会議室、時間(時刻)、会議名、参加者の名前等がある。
【００８０】
次に、印刷装置１０は、印刷ジョブの解析結果と、会議の予約情報とから、この印刷ジョブに関連する会議室を選定する（図５、Ｐ４）。具体的には、印刷ジョブ解析結果８４と予約情報９０とを比較して、予約情報の中で、印刷ジョブ解析結果８４に含まれる情報と一致する部分を検出して、印刷ジョブと各会議との関連性を評価する。
【００８１】
より詳細には、印刷ジョブを投入したユーザと会議参加者との比較、印刷ジョブが投入された時刻と会議開催時刻との比較、印刷ジョブの内容（抽出されたキーワードと会議の内容(会議名等)）との比較、のうちの少なくとも１つに基づいて関連性を評価して会議室を選定する。
【００８２】
図１０は、図９の予約情報９０の中で、印刷ジョブ解析結果８４に含まれる情報と一致する部分の背景をグレーにしたものである。予約１は、会議の時間、会議名の一部、参加者の一部で印刷ジョブ解析結果８４に含まれる情報と一致し、予約２は、会議名の一部で印刷ジョブ解析結果８４に含まれる情報と一致し、予約３には一致点はない。
【００８３】
その結果、該印刷ジョブとの関連度は、予約１の３階Ａ会議室＞予約２の３階Ｂ会議室の大小関係でこれらが有し、予約３の４階Ａ会議室、および、予約されていない２階Ａ会議室は関連無しである。この例では、印刷ジョブに関連する会議室として３階Ａ会議室と３階Ｂ会議室が選定される。
【００８４】
次に、印刷装置１０は、印刷ジョブを投入したユーザの挙動に基づいて、自装置（印刷ジョブの投入先の印刷装置１０）で印刷が行われるか否かを判定する（図５、Ｐ５）。判定方法には、以下の第１判定方法と、第２判定方法と、これらを組み合わせた第３判定方法がある。
【００８５】
＜第１判定方法＞
ユーザ（携帯端末４０）の位置で判定する。具体的には、印刷ジョブを投入したユーザ（該ユーザの携帯端末４０）が自装置（印刷ジョブの投入先の印刷装置１０）から一定以上の距離を離れている、もしくは、離れる方向に移動している場合は、自装置（印刷ジョブの投入先の印刷装置１０）で印刷しないと判定して、選定した関連する会議室を表示する。一方、自装置（印刷ジョブの投入先の印刷装置１０）の近くで止まっている場合は自装置（印刷ジョブの投入先の印刷装置１０）で印刷すると判定する。
【００８６】
＜第２判定方法＞
選定した関連する会議室の一覧を表示してから会議室の選択操作を一定時間（たとえば、数秒）内に受けるか否かによって判定する。常に、関連する会議室の一覧画面（図１１、図１３参照）を表示し、表示を開始してから一定時間内に会議室の選択を受けなかった場合は、自装置（印刷ジョブの投入先の印刷装置１０）で印刷すると判定する。
【００８７】
＜第３判定方法＞
第２判定方法と同様に、常に、選定した関連する会議室の一覧画面を表示する。そして、表示を開始してから一定時間内に会議室の選択を受けなかった場合、一定時間の経過時点でユーザが自装置（印刷ジョブの投入先の印刷装置１０）の近く(所定距離内)に居るか否かを判断し、自装置（印刷ジョブの投入先の印刷装置１０）の近くに居る場合は自装置（印刷ジョブの投入先の印刷装置１０）で印刷すると判定する。
【００８８】
なお、一定時間の経過時点でユーザが自装置（印刷ジョブの投入先の印刷装置１０）の近くに居ない場合は、該ユーザの携帯端末４０に関連する会議室の情報を送信し、携帯端末４０に、関連する会議室の一覧画面を表示させて選択の操作を受けさせ、その選択の結果を送信させ、該選択の結果を印刷装置１０で受信する。すなわち、ユーザは印刷ジョブの投入先の印刷装置１０の近くに居ないので、該ユーザの携帯端末４０にて会議室の選択操作を受けるようにする。
【００８９】
ユーザの挙動に基づいて、自装置（印刷ジョブの投入先の印刷装置１０）で印刷すると判定した場合は（図５、Ｐ６；Ｙｅｓ）、自装置（印刷ジョブの投入先の印刷装置１０）で印刷を実行する（Ｐ７）。
【００９０】
ユーザの挙動から、自装置（印刷ジョブの投入先の印刷装置１０）で印刷しないと判定した場合は（図５、Ｐ６；Ｎｏ)、選定の結果（関連する会議室の情報）を携帯端末４０に送信し（Ｐ８）、携帯端末４０に、関連する会議室の一覧画面を表示させて選択の操作を受けさせ（Ｐ９）、その選択の結果を送信させ、該選択の結果を印刷装置１０で受信する（Ｐ１０）。
【００９１】
図１１は、携帯端末４０に表示される関連会議室一覧画面１００の一例を示している。関連会議室一覧画面１００には、関連する会議室の名称およびその選択釦１０１が関連度の高い順に一覧表示される。また、ジョブ投入先の印刷装置１０で印刷することを選択するための選択釦１０２も表示される。いずれかの選択釦１０１、１０２を押下した後、印刷釦１０３を押下すると、選択の結果が送信される。
【００９２】
図１１では、関連する会議室として３階Ａ会議室と３階Ｂ会議室が表示され、このうち、３階Ａ会議室が選択されている。
【００９３】
会議室が選択された場合、その会議室に最も近い印刷装置１０を特定し、その特定した印刷装置１０に印刷ジョブを転送して印刷を実行させる。一方、自装置（印刷ジョブの投入先の印刷装置１０）で印刷する旨の選択を受けた場合は、自装置（印刷ジョブの投入先の印刷装置１０）で印刷を実行する（図５、Ｐ１１）。
【００９４】
図４の設置状況の場合、３階Ａ会議室が選択された場合、ＭＦＰ１が転送先の印刷装置１０に特定される。その結果、図１２に示すように、最初にジョブが投入されたＭＦＰ４からＭＦＰ１に印刷ジョブが転送されて印刷される。
【００９５】
図１３は、印刷装置１０の操作パネル２２に表示される関連会議室一覧画面１２０の一例を示している。関連会議室一覧画面１２０には、関連する会議室の名称およびその選択釦１２１が関連度の高い順に一覧表示される。また、自装置で印刷することを選択するための選択釦１２２も表示される。いずれかの選択釦１２１、１２２を押下した後、スタート釦２６の押下操作を受けると、該当する処理が実行される。
【００９６】
すなわち、いずれかの会議室が選択されてスタート釦２６が押下された場合は、その選択された会議室に最も近い印刷装置１０に印刷ジョブを転送して印刷を行わせる。一方、自装置で印刷する選択釦１２２が選択されてスタート釦２６が押下された場合は、自装置で印刷を実行する。
【００９７】
たとえば、図５のＰ４の後、自装置の操作パネル２２に関連会議室一覧画面１２０を表示するようにしてもよい。
【００９８】
図１４は、携帯端末４０で行われる印刷ジョブの選択・送信処理を示す流れ図である。携帯端末４０は、文書一覧画面７０を表示部４６に表示して、文書（ファイル）の選択操作を受け付ける（ステップＳ２０１）。文書が選択された状態で印刷釦７２の押下操作を受けると（ステップＳ２０２；Ｙｅｓ)、選択された文書を含む印刷ジョブを作成し、これを印刷装置１０に送信する（ステップＳ２０３）。
【００９９】
図１５は、携帯端末４０で行われる、会議室の選択操作を受ける処理を示す流れ図である。図１４の処理で印刷ジョブを印刷装置１０に送信した携帯端末４０は、印刷ジョブの送信先の印刷装置１０から、関連する会議室の情報を受信したら（ステップＳ２２１；Ｙｅｓ）、関連する会議室の列挙した関連会議室一覧画面１００を表示する(ステップＳ２２２)。そして、会議室等の選択の操作を受けたら（ステップＳ２２３；Ｙｅｓ）、その選択結果を、関連する会議室の情報の送信元に返信する(ステップＳ２２４)。
【０１００】
図１６、図１７は、印刷装置１０が行う処理を示している。印刷装置１０は、携帯端末４０から印刷ジョブを受信すると（ステップＳ３０１；Ｙｅｓ）、該印刷ジョブを解析する（ステップＳ３０２）。次に、会議室予約システム５０から予約情報を取得し（ステップＳ３０３）、解析結果と予約情報とから該印刷ジョブに関連する会議室を選定する(ステップＳ３０４)。
【０１０１】
印刷装置１０は、該印刷ジョブを投入したユーザの挙動を監視し、ユーザの挙動から該印刷ジョブが自装置で印刷されるか否かを判定する（ステップＳ３０５）。自装置で印刷すると判定した場合は（ステップＳ３０６；Ｙｅｓ）、該印刷ジョブを自装置で印刷して（ステップＳ３０８）、本処理を終了する。
【０１０２】
ユーザの挙動から自装置で印刷しないと判定した場合は(ステップＳ３０６；Ｎｏ)、ステップＳ３０４において関連する会議室が見つかっているか否かを調べる（ステップＳ３０７）。関連する会議室が１つもなければ（ステップＳ３０７；Ｎｏ）、該印刷ジョブを自装置で印刷して（ステップＳ３０８）、本処理を終了する。たとえば、印刷ジョブが会議と関連しない文書の印刷ジョブである場合、関連する会議室が見つからないので、自装置で自動的に印刷を実行する。
【０１０３】
関連する会議室が見つかっている場合は（ステップＳ３０７；Ｙｅｓ）、関連する会議室が複数か否かを判定する（ステップＳ３０９）。関連する会議室が１つのみの場合は（ステップＳ３０９；Ｎｏ）、該１つの関連する会議室を、ユーザによって選択された会議室と見なし、該会議室に対応する（会議室に最も近い）印刷装置１０を特定して（ステップＳ３１０）、ステップＳ３１５に移行する。
【０１０４】
関連する会議室が複数ある場合は（ステップＳ３０９；Ｙｅｓ）、関連する会議室の情報を、該印刷ジョブの送信元の携帯端末４０に送信し(ステップＳ３１１)、選択の結果が送られて来るのを待機する(ステップＳ３１２；Ｎｏ)。
【０１０５】
携帯端末４０から選択の結果を受信したら（ステップＳ３１２；Ｙｅｓ）、出力先として自装置が選択されているか、いずれかの会議室が選択されているかを判断する（ステップＳ３１３）。自装置が選択されている場合は（ステップＳ３１３；Ｙｅｓ）、該印刷ジョブを自装置で印刷して（ステップＳ３１６）、本処理を終了する。
【０１０６】
いずれかの会議室が選択されている場合は（ステップＳ３１３；Ｎｏ）、その選択された会議室に対応する（会議室に最も近い）印刷装置１０を特定して（ステップＳ３１４）、ステップＳ３１５に移行する。
【０１０７】
ステップＳ３１５では、特定された印刷装置１０（転送先）と自装置とが一定距離以内の近くに設置されているか否かを判断する。自装置と特定された印刷装置１０が近い場合は（ステップＳ３１５；Ｙｅｓ）、該印刷ジョブを自装置で印刷して（ステップＳ３１６）、本処理を終了する。近くの別の印刷装置１０に転送することはしない。
【０１０８】
特定した印刷装置１０と自装置とが一定距離以内の近くに設置されていない場合は（ステップＳ３１５；Ｎｏ）、特定した印刷装置１０に該印刷ジョブを転送して印刷を実行させ（ステップＳ３１７）、本処理を終了する。
【０１０９】
図１８は、ユーザの挙動を前述した第３判定方法で判定する場合における処理の概要を示す梯子図である。図５と同じ部分には同じ処理符号（Ｐ１等）を付してあり、それらの説明は適宜省略する。
【０１１０】
関連する会議室を選択した後、常に、自装置（印刷ジョブの投入先の印刷装置１０）の操作パネル２２に、図１３の関連会議室一覧画面１２０を表示する（Ｐ５ａ）。該表示を開始してから一定時間内に、自装置で印刷する旨の選択(図１３の選択釦１２２の押下)を受けた場合は（Ｐ６ａ）、自装置で印刷を実行する（Ｐ７ａ）。
【０１１１】
関連会議室一覧画面１２０の表示を開始してから一定時間内に、会議室の選択(図１３のいずれかの選択釦１２１の押下)を受けた場合は（Ｐ８ａ）、その選択された会議室に最も近い印刷装置１０を特定し、その印刷装置１０に印刷ジョブを転送して印刷を実行させる（Ｐ９ａ）。
【０１１２】
上記いずれの選択も受けずに関連会議室一覧画面１２０の表示を開始してから一定時間が経過した場合は、印刷ジョブを投入したユーザが該一定時間の経過時点で自装置の近く(所定距離内)に居るか否かを判断する（Ｐ１０ａ）。自装置の近くに居る場合は（Ｐ１０ａ；Ｙｅｓ）、自装置で印刷すると判定して、該印刷ジョブを自装置で印刷する（Ｐ１１ａ）。
【０１１３】
一定時間の経過時点で上記のユーザが自装置の近くに居ない場合は（Ｐ１０ａ；Ｎｏ）、該ユーザの携帯端末４０に、関連する会議室の情報を送信する（Ｐ８）。Ｐ８〜Ｐ１１の処理は図５と同様であり、それらの説明は省略する。
【０１１４】
以上のように本発明によれば、印刷ジョブを受信した印刷装置１０がその印刷ジョブを自装置で印刷すべきか、あるいは、会議室の近くの印刷装置１０で印刷すべきかを判定し、会議室の近くの印刷装置１０で印刷すべきと判定した場合には、その印刷ジョブに関連する会議室を選定してユーザに提示し、ユーザの選択した会議室に最も近い印刷装置１０にその印刷ジョブを転送して印刷させる。これにより、ユーザは、会議とその会議の資料とを予め紐付けて会議予約システムに登録する等の手間をかけることなく、所望の会議室の近くの印刷装置１０でその資料を印刷することができる。
【０１１５】
また、関連する会議室のみが表示されるので、ユーザは関連する会議室の中から目的の会議室を選択すればよく、すべての会議室の中から選択する場合に比べて、選択の手間が軽減される。
【０１１６】
また、会議の資料ではなく、関連する会議室のない印刷ジョブの場合には、特別な選択操作を行わなくても、投入先の印刷装置で印刷が実行されるので、自装置で印刷するか会議室の近くの別の印刷装置１０で印刷するかを毎回選択しなければならない煩雑さがない。
【０１１７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１８】
実施の形態では、転送印刷機能に係る各種の判断や処理を印刷装置１０が行う例を示したが、転送印刷機能を実現するための各処理は、印刷装置１０や各種のサーバに分担され、印刷システム全体で実現するように構成されてもよい。どのように分担するかは適宜に定めればよい。印刷システム全体で転送印刷機能を実現する場合、実施の形態における「自装置」を、「印刷ジョブの投入先の印刷装置」として同様の処理を行えばよい。
【０１１９】
実施の形態で示した文書一覧画面７０、関連会議室一覧画面１００、１２０等は一例であれ、これらに限定されるものではない。
【０１２０】
実施の形態では、選定した会議室が複数の場合、ユーザから選択を受けたが、それらの中のいずれかの会議室を自動的に選択してもよい。
【符号の説明】
【０１２１】
２…印刷システム
３…ネットワーク
５…アクセスポイント
１０…印刷装置
１１…ＣＰＵ
１２…ＲＯＭ
１３…ＲＡＭ
１４…画像読取部
１５…プリンタ部
１６…画像処理部
１７…不揮発メモリ
１８…ハードディスク装置
１９…ファクシミリ通信部
２１…ネットワーク通信部
２２…操作パネル
２３…表示部
２４…操作部
２６…スタート釦
３１…予約情報取得部
３２…解析部
３３…挙動情報取得部
３４…特定部
３５…選定部
３６…選択部
３７…判定部
３８…転送制御部
４０…携帯端末
４１…ＣＰＵ
４２…ＲＯＭ
４３…ＲＡＭ
４４…不揮発メモリ
４５…操作部
４６…表示部
４７…ネットワーク通信部
５０…会議室予約システム
６０…ユーザ位置管理サーバ
７０…文書一覧画面
７２…印刷釦
８０…ファイル
８２…キーワードの一覧
８４…印刷ジョブ解析結果
９０…予約情報
１００…関連会議室一覧画面（携帯端末に表示される）
１０１…選択釦
１０２…選択釦
１０３…印刷釦
１２０…関連会議室一覧画面（印刷装置の操作パネルに表示される）
１２１…選択釦
１２２…選択釦
【図１】
0006459919.tif 000002
【図２】
0006459919.tif 000003
【図３】
0006459919.tif 000004
【図４】
0006459919.tif 000005
【図５】
0006459919.tif 000006
【図６】
0006459919.tif 000007
【図７】
0006459919.tif 000008
【図８】
0006459919.tif 000009
【図９】
0006459919.tif 000010
【図１０】
0006459919.tif 000011
【図１１】
0006459919.tif 000012
【図１２】
0006459919.tif 000013
【図１３】
0006459919.tif 000014
【図１４】
0006459919.tif 000015
【図１５】
0006459919.tif 000016
【図１６】
0006459919.tif 000017
【図１７】
0006459919.tif 000018
【図１８】
0006459919.tif 000019